(57)【要約】【課題】侵入者が合った際に、住居人が逃げ込むための部屋の出入開口部に備える建具であって、体当たり等の強い衝撃に耐えて、侵入者の部屋への侵入を防ぐことのできるものの構造を提案する。【解決手段】避難部屋１０の出入開口部に備える建具（戸１１）を、部屋の外側に対して凸である平面視円弧状に形成し、ポリカーボネートで構成した。出入開口部が閉じられた状態において、該建具（戸１１）の移動方向及び外れる方向の動きを規制する部材（ハンドル１４）と、建具の振れを防止する部材（防振金具１６）とを設けた。【選択図】図１
2005314947.tif 000002
【特許請求の範囲】
【請求項１】
建具にて出入開口部が閉じられた状態において、建具の移動方向の動きと建具が外れる方向の動きとを規制する部材を設ける、
ことを特徴とする避難部屋に備える建具の構造。
【請求項２】
建具の移動方向の動きを規制する部分と、建具が外れる方向の動きを規制する部分とを一体的に形成した、規制部材を、
建具にて出入開口部が閉じられた状態において、建具の左右両側又は左右いずれか一方に設け、
該規制部材の回転操作にて、建具の移動の規制及び規制解除操作を行う、
ことを特徴とする避難部屋に備える建具の構造。
【請求項３】
建具にて出入開口部が閉じられた状態においてのみ機能する、建具の振れを防止する部材を設ける、
ことを特徴とする避難部屋に備える建具の構造。
【請求項４】
建具の下部に、磁石または磁性体を備えた上側部材を設け、
出入開口部が建具で閉じられた状態における前記上側部材下方の床に、起立した状態と伏臥した状態とに形態を変更可能な磁性体または磁石を備えた下側部材を設けた、
ことを特徴とする避難部屋に備える建具の構造。
【請求項５】
建具が配置される部屋の外側に対して凸である平面視円弧状に形成する、
避難部屋に備える建具の構造。
【請求項６】
前記建具をポリカーボネートで構成する、
請求項１乃至請求項５のいずれかに記載の避難部屋に備える建具の構造。
【発明の詳細な説明】
【技術分野】
【０００１】
本発明は、住宅等に防犯用に設ける避難部屋に備える建具の構成に関する。
【背景技術】
【０００２】
昨今、住宅への侵入者によって、盗難被害を受けたり、部屋が荒らされたりする事件が多発している。侵入者と住居人とが鉢合わせした場合、非常状態にある侵入者は住居人の身体に危害を加えるケースが多い。従って、住宅に備える防犯体制として、住宅への侵入者を防ぐためのものと、万が一、住宅への侵入者があったときに住居人の身体の安全を確保するためのものとが、必要になる。
【０００３】
そこで、非特許文献１では、戸建て住宅に設ける防犯仕様として、万が一、侵入者が合った場合に、逃げ込んで侵入者から身体を守る部屋を設けることが、提案されている。逃げ込むための部屋は、その出入り口に設けられた扉又は戸を、鉄板で覆ったものとし、さらに部屋の内側から閂が掛けられるようになっている。
【０００４】
【非特許文献１】ミサワホーム株式会社、"MISAWA  HYBRID-M  ８つのプログラムコンセプト"、茶室（パニックルーム）、［online］、平成１５年８月１９日、ミサワホーム株式会社、［平成１６年４月１２日検索］、インターネット＜URL：http://www.misawa.co.jp/maho/hybridm/program/trap1.html＞
【発明の開示】
【発明が解決しようとする課題】
【０００５】
上述の如く、侵入者が住居人と鉢合わせした場合は、侵入者は己の犯罪の隠蔽のためや逃避のために住居人を捕らえて縛ったり、危害を加えたりしようとするおそれがある。例え、避難のために部屋に逃げ込んだとしても、その部屋に侵入して住居人を見付けようとすることは容易に想像することができる。従って、逃げ込むための部屋には、侵入者を侵入させないようにする構造が必要なのである。
上記従来技術では、逃げ込むための部屋の出入開口部に備える建具を、鉄板で覆った頑丈なものとしているが、侵入者が建具に対して体当たりするなどして衝撃を与え、建具を外したり開けたりして、部屋内に破り入る可能性も否定できない。
そこで、本発明では、侵入者が合った際に、住居人が逃げ込むための部屋の出入開口部に備える建具であって、体当たり等の強い衝撃にも耐えて、侵入者の部屋への侵入を防ぎ、住居人の身体の安全を確保することのできるものの構造を提案する。
【課題を解決するための手段】
【０００６】
本発明の解決しようとする課題は以上の如くであり、次にこの課題を解決するための手段を説明する。
【０００７】
即ち、請求項１においては、建具にて出入開口部が閉じられた状態において、建具の移動方向の動きと建具が外れる方向の動きとを規制する部材を設ける、避難部屋に備える建具の構造である。
【０００８】
請求項２においては、建具の移動方向の動きを規制する部分と、建具が外れる方向の動きを規制する部分とを一体的に形成した、規制部材を、建具にて出入開口部が閉じられた状態において、建具の左右両側又は左右いずれか一方に設け、該規制部材の回転操作にて、建具の移動の規制及び規制解除操作を行う、避難部屋に備える建具の構造である。
【０００９】
請求項３においては、建具にて出入開口部が閉じられた状態においてのみ機能する、建具の振れを防止する部材を設ける、避難部屋に備える建具の構造である。
【００１０】
請求項４においては、建具の下部に、磁石または磁性体を備えた上側部材を設け、出入開口部が建具で閉じられた状態における前記上側部材下方の床に、起立した状態と伏臥した状態とに形態を変更可能な磁性体または磁石を備えた下側部材を設けた、避難部屋に備える建具の構造である。
【００１１】
請求項５においては、建具が配置される部屋の外側に対して凸である平面視円弧状に形成する、避難部屋に備える建具の構造である。
【００１２】
請求項６においては、前記建具をポリカーボネートで構成するものである。
【発明の効果】
【００１３】
本発明の効果として、以下に示すような効果を奏する。
【００１４】
請求項１においては、建具が外れたり建具が開いたりすることがないので、侵入者があって避難部屋に逃げ込んだ際に、侵入者が部屋の外から建具を破って入ることが不可能である。これにより、避難部屋への侵入者の侵入を阻止し、逃げ込んだ人の身体の安全を守ることができる。
【００１５】
請求項２においては、建具が外れたり建具が開いたりすることがないので、侵入者があって避難部屋に逃げ込んだ際に、侵入者が部屋の外から建具を破って入ることが不可能である。また、その操作が簡易であり、非常時においても確実に操作することができる。これにより、避難部屋への侵入者の侵入を阻止し、逃げ込んだ人の身体の安全を守ることができる。
【００１６】
請求項３においては、戸の振れを防止する部材を設けることで、部屋の外側からの衝撃に強い建具とすることができる。従って、侵入者が部屋の外側から建具に体当たりしても、この衝撃に効果的に抗することができる。
【００１７】
請求項４においては、出入開口部が建具にて閉じられた状態においてのみ金属製当接部材が起立して建具の振れを防止することができ、部屋の外側からの衝撃に強い建具とすることができる。また、出入開口部が開いている場合には、金属製当接部材は伏臥して通行時に躓くことがない。
【００１８】
請求項５においては、建具の形状を利用した部屋の外側からの衝撃に強い建具とすることができる。従って、侵入者が部屋の外側から建具に体当たりしても、この衝撃に効果的に抗することができる。
【００１９】
請求項６においては、ポリカーボネートは透明プラスチック材料中最高の耐衝撃強度を有しているため、侵入者が建具を破ろうとしても破ることは殆ど不可能なほど強靱な建具とすることができる。また、建具を透明とすることができるので、避難部屋の内部から外部の様子を窺い知ることができる。
【発明を実施するための最良の形態】
【００２０】
次に、発明の実施の形態を説明する。
図１は本発明の実施例に係る避難部屋に備える戸の閉めた状態を示す図、図２は避難部屋に備える戸の開けた状態を示す図、図３は避難部屋に備える戸の構造を示す平面図、図４は避難部屋の外側からみた避難部屋に備える戸の状態を示す図である。
図５はロック機構を示す図である。
図６は防振機構を示す側面図、図７は誘引具を示す平面図、図８は防振金具を示す平面図、図９は防振金具を示す側面断面図である。
【００２１】
図１乃至図３に示す如く、本実施例において、避難部屋１０の出入開口部に設けられる建具として、引き戸式の戸１１が設けられている。
避難部屋１０は、住宅等に侵入者があった際に、住居人の身の安全を守るために逃げ込む部屋である。
本実施例では、避難部屋１０として、寝室の近傍に設けられたウォークインクローゼットを設けている。避難部屋１０を寝室近傍に配置することで、夜間就寝中に侵入者があり、それに気付いた場合でも速やかに避難部屋１０に移動することができるという利点がある。また、避難部屋１０として別途特別な部屋を設ける必要が無く、通常は、ウォークインクローゼットとして使用することができるので、日常の生活空間を縮小することなく避難部屋１０を設けることができる。
【００２２】
前記避難部屋１０には、監視装置１２が備えられている。監視装置１２では、図４に示す如く、避難部屋１０の外側に設けられた撮像手段３６や、住宅内に設けられた他の撮像手段により撮像された映像や画像を見ることができる画像出力手段としてのディスプレィ１２ａが備えられており、これにより侵入者の様子を窺い知ることができる。
また、監視装置１２には、警察や警備会社等の外部へ通報することのできる通報手段を備えており、これにより、避難部屋１０に避難した住居人は、通報して助けを求めることができる。
さらに、周囲に非常事態を知らせる非常ベル等を監視装置１２に備えることもできる。
【００２３】
また、前記避難部屋１０の出入開口部に設けられた戸１１には、外側から戸１１が破られて避難部屋１０内部に侵入者が侵入することないように、戸１１そのものの構造や、ロック機構、防振機構等の特徴的な構造が備えられている。
【００２４】
戸１１は吊り式の引き戸であって、平面視において円弧状をしており、避難部屋１０から外側へ向かって凸となるように形成されている。これにより、避難部屋１０の外側から、侵入者が戸１１を破ろうとして戸１１に体当たりしたときにも、この衝撃に対して、より効果的に抗することができる。
また、戸１１を平面視略円弧状とすることで、戸１１に意匠性を持たせることができる。
【００２５】
戸１１は平面視において円弧状をしているため、吊り戸式の戸１１の上部に回動可能に設けられたローラ（図示せず）がそのレール上を転動する上部レール１５や、戸１１の下部より下方に突出したガイド体（図示せず）が挿入される下部レール１３も、円弧状をしている。
下部レール１３が取り付けられる床は、戸１１が面方向の衝撃を受けても十分に抗することができるように、下地補強をして他の部分よりも強固にすることが好ましい。
【００２６】
なお、上記実施例においては、避難部屋に備える建具としての戸１１は平面視円弧状であり引き戸としているがこれに限定されるものではない。例えば、避難部屋１０に備える建具を、平板状の引き戸としたり、平板状の回転戸としたりすることもできる。避難部屋１０に備える建具は、その建具が備えられる部屋の内装やその配置に応じて適宜合った形状・形態のものを選択することができる。
【００２７】
戸１１は、ポリカーボネートで構成されている。ポリカーボネートは、強化ガラスの１５０倍以上という透明プラスチック材料中最高の耐衝撃強度を有しており、侵入者が戸１１を破ろうとしても破ることは殆ど不可能なほど強靱である。また、透明であるので、戸１１を介して避難部屋１０の外側の様子を見ることができる。さらに、金属等と比較して軽量であって扱いやすく、また、成形が容易であることから、本実施例に係る平面視円弧状の戸１１も容易に製造することができる。
【００２８】
なお、戸１１を、光を５０％以上反射するハーフミラーとすることもできる。この場合、避難部屋１０に逃げ込んだ際には、避難部屋１０の照明を消して外より避難部屋１０内部の方が暗くなるようにすることで、外側から避難部屋１０内を見ることはできないが、避難部屋１０内からは外をみることができる。これにより、侵入者からは住居人を見ることができず、住居人からは侵入者の様子を見て知ることできる。また、通常時には、避難部屋１０の外の方が明るくなるようにすることで、避難部屋１０であるウォークインクローゼットの内部を外から見えないようにして、煩雑となりがちなウォークインクローゼット内部を外から見えないようにすることができる。
【００２９】
戸１１には、ロック機構が備えられている。ロック機構は、戸１１が閉じられたときに戸１１左右両側に位置する規制部材としてのハンドル１４・１４であり、該ハンドル１４・１４にて、戸１１の移動方向の動きを規制するともに、戸１１の外れる方向である面方向の動きをも規制している。
これにより、避難部屋１０の外側から、侵入者が戸１１を破ろうとして戸１１に体当たりしたり、戸１１を摺動させようとしたりしても、戸１１は動くことなく、また、外れることなく、従って、侵入者は避難部屋１０内部へ侵入することはできない。
【００３０】
ロック機構を構成するハンドル１４・１４は、出入開口部が閉じられた状態にある戸１１の移動方向前後（戸１１の左右）にそれぞれ設けられている。
ハンドル１４は、その基部が壁（または柱等）に取り付けられており、略９０度回動可能に構成されている。そして、ロック解除時にはハンドル１４を略垂直方向に延在した状態とし、ロック時にはハンドル１４を略水平方向に延在した状態とする。
ハンドル１４には、図５にも示す如く、面方向規制部１４ａと、該面方向規制部１４ａと略直交する方向に突出した摺動方向規制部１４ｂとが、一体的に形成されている。
【００３１】
非常時において、戸１１をロックする際には、略垂直方向に延在した状態にあるハンドル１４を略９０度下方へ回転させて、略水平方向に延在した状態とすれば、面方向規制部１４ａにて戸１１の面方向の動きを規制し、摺動方向規制部１４ｂにて戸１１の摺動（開）方向の動きを規制する。
また、ロック解除は、略水平方向に延在した状態にあるハンドル１４を略９０度上方へ回転させて略垂直方向に延在した状態とする操作にて、行われる。
【００３２】
上述の如く、ロック操作及びロック解除操作はいずれも簡易であり、非常時において気が動転している人でも容易に操作できるようにしている。特に、ハンドル１４の色を壁の色とは異なり目立つようなものを選択することによって、非常時においてもハンドル１４を認識しロック操作に行動に移すことができるので、好ましい。
また、ハンドル１４・１４にて、戸１１の左右両側から戸１１をブロックしてその動きを規制することで、強固に戸１１をロックすることができる。但し、戸１１の状態に応じて規制部材としてのハンドル１４を戸１１の左右いずれか一方に設けるものとすることもできる。
【００３３】
そして、前記戸１１の下部には、侵入者が戸１１に体当たりしたときにも戸１１が振れないようにする、防振機構が備えられている。
防振機構は、戸１１の下辺部に設けられた誘引具３５と、床に設けられ、避難部屋１０側から戸１１の下辺部に当接する防振金具１６と、で構成されている。本実施例には、誘引具３５及び防振金具１６がそれぞれ三カ所に設けられている。
【００３４】
図６、図８及び図９に示す如く、前記防振金具１６は、略矩形状金属片である当接片２１と、該当接片２１がその嵌合凹部２４ｂに進退可能に格納された保持プレート２４とで構成されており、ボルト２６等の締結具にて床に固定されている。当接片２１は、その一辺に軸２２が固設されており、該軸２２が保持プレート２４に支承されることによって、当接片２１はその一辺を中心として回動可能とされ、保持プレート２４に形成された嵌合凹部２４ｂより、進退可能とされている。すなわち、当接片２１は、起立した状態と伏臥した状態に形態を変更可能とされている。
なお、保持プレート２４の厚さは、日常の生活時において防振金具１６にて躓くことのないように、床面から３ｍｍ以内とされている。
【００３５】
一方、誘引具３５は、前記防振金具１６の当接片２１を保持プレート２４の嵌合凹部２４ｂより進出させ、当接片２１を起立させるためのものである。これにより、避難部屋１０に設けられた戸１１が閉じられたときにのみ、防振金具１６の当接片２１が起立し、戸１１の下部に当接して戸１１の振れを防止する構成としている。
【００３６】
図６及び図７に示す如く、誘引具３５は、戸１１を構成するポリカーボネート板３０の下部に固設されたフレーム３１に固設されており、フレーム３１に固設するための固定部３２と、内部に磁石３４を内蔵した誘引部３３とで構成されている。
そして、戸１１を閉じたときに、床に固設された防振金具１６の上方に誘引具３５が位置するように、防振金具１６及び誘引具３５の配置が決定される。
【００３７】
前記誘引部３３の底面には、磁石３４が露出しており、誘引具３５が防振金具１６の当接片２１の上方に来ると、磁石３４に当接片２１が持着して、当接片２１が起立する。誘引部３３の底面は、当接片２１が起立した状態において当接可能な形状の傾きが形成されており、誘引部３３の底面に当接片２１が当接することによって当接片２１の上方への動きが規制されるとともに、磁石３４の磁力により起立した状態に保持される。
【００３８】
当接片２１は起立した状態において、誘引具３５の誘引部３３の底面に当接するとともに、戸１１の下辺に設けられたフレーム３１にも当接する。そして、起立した当接片２１によって、戸１１は面方向の動きが規制され、振れが防止されることになる。
起立した当接片２１は、戸１１を摺動させて、防振金具１６の上方から誘引具３５が移動すると、誘引具３５の磁石３４による磁力が弱まって、自重により軸２２を中心として下方へ回動して伏臥した状態となり、保持プレート２４の嵌合凹部２４ｂに格納される。
【図面の簡単な説明】
【００３９】
【図１】本発明の実施例に係る避難部屋に備える戸の閉めた状態を示す図。
【図２】避難部屋に備える戸の開けた状態を示す図。
【図３】避難部屋に備える戸の構造を示す平面図。
【図４】避難部屋の外側からみた避難部屋に備える戸の状態を示す図。
【図５】ロック機構を示す図。
【図６】防振機構を示す側面図。
【図７】誘引具を示す平面図。
【図８】防振金具を示す平面図。
【図９】防振金具を示す側面断面図。
【符号の説明】
【００４０】
１０  避難部屋
１１  戸
１２  監視装置
１３  下部レール
１４  ハンドル
１５  上部レール
１６  防振金具
３５  誘引具
【図１】
2005314947.tif 000003
【図２】
2005314947.tif 000004
【図３】
2005314947.tif 000005
【図４】
2005314947.tif 000006
【図５】
2005314947.tif 000007
【図６】
2005314947.tif 000008
【図７】
2005314947.tif 000009
【図８】
2005314947.tif 000010
【図９】
2005314947.tif 000011